(57)【要約】【課題】  被点呼者に点呼を適切に受けさせることができる点呼システムを提供する。【解決手段】  点呼システムは、点呼管理者によって使用される点呼側装置と、被点呼者によって使用されて被点呼者の様子を音および画像で点呼側装置に送信する被点呼側装置と、被点呼者によって携帯される携帯装置と、携帯装置の通過を許可するか否かを判断する通過許可判断装置とを備えており、点呼側装置は、被点呼側装置から受信した点呼の要求に応じて被点呼側装置を介した点呼を可能にする点呼システムであって、点呼側装置は、通過許可判断装置に携帯装置の通過を許可させるための情報の書き込みの指示を被点呼側装置に送信し、被点呼側装置は、点呼側装置から指示を受信したときに（Ｓ１８１、Ｓ１８２でＹＥＳ）情報を携帯装置に書き込み（Ｓ１８３）、通過許可判断装置は、携帯装置に書き込まれた情報に基づいて携帯装置の通過を許可することを特徴とする。【選択図】  図１１
2011238059.tif 000002
【特許請求の範囲】
【請求項１】
点呼を行う点呼管理者によって使用される点呼側装置と、前記点呼が行われる被点呼者によって使用されて前記被点呼者の様子を音および画像の少なくとも一方で前記点呼側装置に送信する被点呼側装置と、前記被点呼者によって携帯される携帯装置と、前記携帯装置の通過を許可するか否かを判断する通過許可判断装置とを備えており、
前記点呼側装置は、前記被点呼側装置から受信した前記点呼の要求に応じて前記被点呼側装置を介した前記点呼を可能にする点呼システムであって、
前記点呼側装置は、前記通過許可判断装置に前記携帯装置の通過を許可させるための情報の書き込みの指示を前記被点呼側装置に送信し、
前記被点呼側装置は、前記点呼側装置から前記指示を受信したときに前記情報を前記携帯装置に書き込み、
前記通過許可判断装置は、前記携帯装置に書き込まれた前記情報に基づいて前記携帯装置の通過を許可することを特徴とする点呼システム。
【請求項２】
前記情報は、時刻であり、
前記通過許可判断装置は、前記携帯装置に書き込まれた前記時刻に基づいて前記携帯装置が有効期限内であるか否かを判断し、前記携帯装置が有効期限内であるときに前記携帯装置の通過を許可することを特徴とする請求項１に記載の点呼システム。
【請求項３】
前記携帯装置は、車両のキーに取り付けられており、
前記通過許可判断装置は、前記被点呼側装置から前記車両までの通路の途中に配置されていることを特徴とする請求項１または請求項２に記載の点呼システム。
【発明の詳細な説明】
【技術分野】
【０００１】
本発明は、点呼管理者による被点呼者に対する点呼を支援することができる点呼システムに関する。
【背景技術】
【０００２】
従来の点呼システムとしては、路線バス等の営業所の運行管理者（点呼管理者）が、乗務員（被点呼者）の出勤状況を迅速に把握することができ、かつ乗務員の始業点呼を促す交番表示盤を保有する勤務時間管理装置が知られている（例えば、特許文献１参照。）。
【先行技術文献】
【特許文献】
【０００３】
【特許文献１】特開昭６２−９７０５２号公報
【発明の概要】
【発明が解決しようとする課題】
【０００４】
従来の点呼システムは、点呼管理者と、被点呼者とが同一の営業所に勤務していることが前提とされている。そのため、従来の点呼システムは、被点呼者が勤務する全ての営業所にそれぞれ点呼管理者が配置される必要があり、点呼管理者の人件費が膨大である。
【０００５】
しかしながら、通信技術が発達した現在においては、点呼管理者によって使用される点呼側装置と、被点呼者によって使用されて被点呼者の様子を音および画像の少なくとも一方で点呼側装置に送信する被点呼側装置とが使用されることによって、点呼管理者と、被点呼者とが離れた場所にいる状況であっても点呼が行われることが可能である。
【０００６】
ここで、点呼管理者と、被点呼者とが離れた場所にいる場合、被点呼者が点呼の結果として点呼管理者から勤務を禁止されてしまうことを恐れたり、被点呼者が点呼自体に時間を取られたくなかったりして、被点呼者が意図的に点呼を拒否して勤務を行ってしまう可能性がある。また、点呼管理者と、被点呼者とが離れた場所にいる場合、被点呼者が意図的ではなく点呼を忘れて勤務を行ってしまう可能性もある。
【０００７】
そこで、本発明は、被点呼者に点呼を適切に受けさせることができる点呼システムを提供することを目的とする。
【課題を解決するための手段】
【０００８】
本発明の点呼システムは、点呼を行う点呼管理者によって使用される点呼側装置と、前記点呼が行われる被点呼者によって使用されて前記被点呼者の様子を音および画像の少なくとも一方で前記点呼側装置に送信する被点呼側装置と、前記被点呼者によって携帯される携帯装置と、前記携帯装置の通過を許可するか否かを判断する通過許可判断装置とを備えており、前記点呼側装置は、前記被点呼側装置から受信した前記点呼の要求に応じて前記被点呼側装置を介した前記点呼を可能にする点呼システムであって、前記点呼側装置は、前記通過許可判断装置に前記携帯装置の通過を許可させるための情報の書き込みの指示を前記被点呼側装置に送信し、前記被点呼側装置は、前記点呼側装置から前記指示を受信したときに前記情報を前記携帯装置に書き込み、前記通過許可判断装置は、前記携帯装置に書き込まれた前記情報に基づいて前記携帯装置の通過を許可することを特徴とする。
【０００９】
この構成により、本発明の点呼システムは、被点呼側装置が点呼側装置から指示を受信したときのみ、被点呼者によって携帯される携帯装置の通過を通過許可判断装置が許可するので、被点呼者に点呼を適切に受けさせることができる。
【００１０】
また、本発明の点呼システムの前記情報は、時刻であり、前記通過許可判断装置は、前記携帯装置に書き込まれた前記時刻に基づいて前記携帯装置が有効期限内であるか否かを判断し、前記携帯装置が有効期限内であるときに前記携帯装置の通過を許可することが好ましい。
【００１１】
この構成により、本発明の点呼システムは、携帯装置が有効期限内であるときのみ、被点呼者によって携帯される携帯装置の通過を通過許可判断装置が許可するので、被点呼者に点呼を更に適切に受けさせることができる。
【００１２】
また、本発明の点呼システムの前記携帯装置は、車両のキーに取り付けられており、前記通過許可判断装置は、前記被点呼側装置から前記車両までの通路の途中に配置されていることが好ましい。
【００１３】
この構成により、本発明の点呼システムは、点呼を適切に受けた被点呼者のみに車両のキーを車両まで持って行かせることができるので、車両の運転者である被点呼者に点呼を適切に受けさせることができる。
【発明の効果】
【００１４】
本発明の点呼システムは、被点呼者に点呼を適切に受けさせることができる。
【図面の簡単な説明】
【００１５】
【図１】本発明の一実施の形態に係る点呼システムのブロック図である。
【図２】図１に示す点呼側装置のブロック図である。
【図３】図１に示す被点呼側装置のブロック図である。
【図４】図１に示す点呼システムの通過許可判断装置を示す図である。
【図５】図１に示す点呼側装置のモニタに表示される点呼画面の例を示す図である。
【図６】図１に示す被点呼側装置のモニタに表示されるリスト画面の例を示す図である。
【図７】点呼の要求が行われるときの図１に示す被点呼側装置の動作のフローチャートである。
【図８】図１に示す被点呼側装置のモニタに表示される質問事項の例を示す図である。
【図９】点呼待ちリストに被点呼者が登録されるときのサーバーである図１に示す点呼側装置の動作のフローチャートである。
【図１０】点呼が実行されるときの図１に示す点呼側装置の動作のフローチャートである。
【図１１】ＩＣタグに有効期限が書き込まれるときの図１に示す被点呼側装置の動作のフローチャートである。
【図１２】被点呼者の乗務の許可または禁止が行われるときの図４に示す通過許可判断装置の動作のフローチャートである。
【発明を実施するための形態】
【００１６】
以下、本発明の実施の形態について、図面を用いて説明する。
【００１７】
まず、本発明の一実施の形態に係る点呼システムの構成について説明する。
【００１８】
図１は、本実施の形態に係る点呼システム１０のブロック図である。
【００１９】
図１に示すように、点呼システム１０は、点呼を行う点呼管理者によって使用される点呼側装置２０と、点呼が行われる被点呼者によって使用されて被点呼者の様子を音および画像で点呼側装置２０に送信する被点呼側装置４０と、被点呼者によって携帯される本発明の携帯装置としてのＩＣタグ６０と、ＩＣタグ６０の通過を許可するか否かを判断する通過許可判断装置７０とを備えている。点呼側装置２０および被点呼側装置４０は、インターネットなどのネットワーク１１を介して互いに通信可能になっている。点呼システム１０は、点呼側装置２０を複数台備えている。また、図１には被点呼側装置４０、ＩＣタグ６０、通過許可判断装置７０がそれぞれ１台のみ描かれているが、点呼システム１０は、被点呼側装置４０、ＩＣタグ６０、通過許可判断装置７０もそれぞれ複数台備えている。
【００２０】
点呼システム１０は、運送業者によって使用されるシステムであって、トラックの運転者の乗務前の点呼を支援するシステムである。点呼側装置２０は、運送業者の本部に設置されている。被点呼側装置４０は、全国に例えば数百か所など点在する運送業者の支部にそれぞれ設置されている。
【００２１】
図２は、点呼側装置２０のブロック図である。
【００２２】
図２に示すように、点呼側装置２０は、点呼側装置２０全体を制御するコンピュータであるＰＣ（Ｐｅｒｓｏｎａｌ  Ｃｏｍｐｕｔｅｒ）２１と、音を入力するマイク２２と、画像を入力するビデオカメラ２３と、音を出力するスピーカ２４と、画像を出力するモニタ２５と、点呼管理者による操作を入力するキーボード、マウス、タッチパネルなどの操作部２６と、外部の装置と通信を行うための通信部２７と、音によって警報を行う警報器２８と、光によって点呼管理者を呼び出す呼出灯２９と、時間を計測する時計３０とを備えている。なお、点呼側装置２０は、警報器２８、呼出灯２９をそれぞれスピーカ２４、モニタ２５によって代用する構成であっても良い。
【００２３】
ＰＣ２１は、ＣＰＵ（Ｃｅｎｔｒａｌ  Ｐｒｏｃｅｓｓｉｎｇ  Ｕｎｉｔ）と、プログラムや各種のデータを予め記憶しているＲＯＭ（Ｒｅａｄ  Ｏｎｌｙ  Ｍｅｍｏｒｙ）やＨＤＤ（Ｈａｒｄ  Ｄｉｓｋ  Ｄｒｉｖｅ）と、ＣＰＵの作業領域として用いられるＲＡＭ（Ｒａｎｄｏｍ  Ａｃｃｅｓｓ  Ｍｅｍｏｒｙ）となどによって構成されている。ＣＰＵは、ＲＯＭやＨＤＤに記憶されているプログラムを実行することによってＰＣ２１を動作させる演算処理装置である。ＲＡＭは、ＣＰＵによってプログラムが実行されるときにプログラムや各種のデータを一時的に記憶するようになっている。
【００２４】
複数の点呼側装置２０は、１台の点呼側装置２０がサーバーとなっており、残りの点呼側装置２０がクライアントとなっている。サーバーである点呼側装置２０のＰＣ２１のみが、点呼を待っている被点呼者のリストである点呼待ちリストを記憶し、管理している。クライアントである点呼側装置２０のＰＣ２１は、点呼待ちリストを記憶しておらず、サーバーである点呼側装置２０のＰＣ２１が記憶している点呼待ちリストを読み出し、編集するようになっている。つまり、点呼待ちリストは、サーバーである点呼側装置２０も含めて全ての点呼側装置２０が共同で使用することになる。この構成により、複数台の点呼側装置２０によって同時に点呼が実行されるときに、同一の被点呼者の点呼が複数台の点呼側装置２０によって実行されるという不具合の発生が防止されている。
【００２５】
同様に、サーバーである点呼側装置２０のＰＣ２１は、被点呼者毎に予め登録される顔画像と、被点呼者毎に予め登録される過去の履歴と、被点呼者１人の点呼に必要な時間として予め設定された標準点呼時間とを記憶している。また、サーバーである点呼側装置２０のＰＣ２１は、被点呼側装置４０から点呼の要求とともに送信されてくる各種の情報を記憶するようになっている。これらの情報も、全ての点呼側装置２０が共同で使用することになる。
【００２６】
図３は、被点呼側装置４０のブロック図である。
【００２７】
図３に示すように、被点呼側装置４０は、被点呼側装置４０全体を制御するコンピュータであるＰＣ４１と、音を入力するマイク４２と、画像を入力するビデオカメラ４３と、音を出力するスピーカ４４と、画像を出力するモニタ４５と、被点呼者による操作を入力するキーボード、マウス、タッチパネルなどの操作部４６と、外部の装置と通信を行うための通信部４７と、音によって警報を行う警報器４８と、光によって被点呼管理者を呼び出す呼出灯４９と、被点呼者の免許証から情報を読み取る免許証リーダー５０と、ＩＣタグ６０に対して情報の読み取りおよび書き込みを行うＩＣタグリーダライター５１と、被点呼者の指紋を読み取って認証を行う指紋認証装置５２と、被点呼者の血圧を計測する血圧計５３と、被点呼者の加速度脈波を計測する加速度脈波計５４と、被点呼者の体温を計測する体温計５５と、被点呼者の呼気中のアルコール濃度を測定するアルコール測定器５６とを備えている。なお、被点呼側装置４０は、警報器４８、呼出灯４９をそれぞれスピーカ４４、モニタ４５によって代用する構成であっても良い。また、認証方法は、本実施の形態においては指紋による認証が採用されているが、静脈、虹彩、顔など、指紋以外の認証が採用されても良い。
【００２８】
ＰＣ４１は、ＣＰＵと、プログラムや各種のデータを予め記憶しているＲＯＭやＨＤＤと、ＣＰＵの作業領域として用いられるＲＡＭとなどによって構成されている。ＣＰＵは、ＲＯＭやＨＤＤに記憶されているプログラムを実行することによってＰＣ４１を動作させる演算処理装置である。ＲＡＭは、ＣＰＵによってプログラムが実行されるときにプログラムや各種のデータを一時的に記憶するようになっている。
【００２９】
図４は、通過許可判断装置７０を示す図である。
【００３０】
図４に示すように、通過許可判断装置７０は、被点呼側装置４０と共用であるＰＣ４１と、ＩＣタグ６０に対して情報の読み取りを行うＩＣタグリーダーが付いているＩＣタグリーダー付きゲート７１とを備えている。ＩＣタグリーダー付きゲート７１は、被点呼側装置４０からトラック９０までの全ての通路の途中に配置されている。なお、ＩＣタグ６０は、例えばトラック（車両）９０のキー９１に取り付けられたキーホルダー９２に埋め込まれている。
【００３１】
図５は、点呼側装置２０のモニタ２５に表示される点呼画面の例を示す図である。
【００３２】
図５に示すように、点呼画面には、現在点呼中の被点呼者の情報を表示する「現在の被点呼者」領域８１と、点呼管理者の画像を表示する「点呼管理者」領域８２と、現在点呼中の被点呼者の画像を表示する「被点呼者」領域８３と、現在点呼中の被点呼者の運転免許証の画像を表示する「運転免許証」領域８４と、現在点呼中の被点呼者の予め登録されていた顔画像を表示する「登録顔画像」領域８５と、現在点呼中の被点呼者の予め登録されていた過去の履歴を表示する「過去履歴」領域８６と、点呼待ちリストを表示する「点呼待ちリスト」領域８７とが含まれている。
【００３３】
「現在の被点呼者」領域８１には、現在点呼中の被点呼者の点呼を要求してきた被点呼側装置４０の識別情報を表示する「支部」領域８１ａと、現在点呼中の被点呼者の社員番号を表示する「社員番号」領域８１ｂと、現在点呼中の被点呼者の氏名を表示する「氏名」領域８１ｃと、現在点呼中の被点呼者が乗車する車両の番号を表示する「車両番号」領域８１ｄとが含まれている。車両の番号とは、自動車の登録番号や、会社が所有する車両に独自に割り振った番号などである。なお、「支部」領域８１ａ、「社員番号」領域８１ｂ、「氏名」領域８１ｃおよび「車両番号」領域８１ｄに表示される情報は、被点呼者の識別情報であり、サーバーである点呼側装置２０のＰＣ２１が被点呼側装置４０から点呼の要求を受信したときに、点呼の要求とともに被点呼側装置４０から送信されてくる情報である。
【００３４】
「点呼管理者」領域８２に表示される画像は、ビデオカメラ２３によって撮影されている画像である。
【００３５】
「被点呼者」領域８３に表示される画像は、被点呼側装置４０のビデオカメラ４３によって撮影されて被点呼側装置４０から点呼側装置２０に送信されてくる画像である。
【００３６】
「運転免許証」領域８４に表示される画像は、サーバーである点呼側装置２０のＰＣ２１が被点呼側装置４０から点呼の要求を受信したときに、点呼の要求とともに被点呼側装置４０から送信されてくる画像である。「運転免許証」領域８４に表示される画像のうち被点呼者の顔画像は、「被点呼者」領域８３に表示される画像中の人物が本当に被点呼者自身であるかを点呼管理者に判断させるために利用される。
【００３７】
「登録顔画像」領域８５に表示される顔画像は、サーバーである点呼側装置２０のＰＣ２１に被点呼者毎に予め登録されている。「登録顔画像」領域８５に表示される被点呼者の顔画像は、「被点呼者」領域８３に表示される画像中の人物が本当に被点呼者自身であるかを点呼管理者に判断させるために利用される。
【００３８】
「過去履歴」領域８６に表示される過去の履歴は、サーバーである点呼側装置２０のＰＣ２１に被点呼者毎に予め登録されている。過去の履歴としては、例えば、被点呼者の過去の交通違反、被点呼者の持病、被点呼者の過去の勤務履歴などがある。
【００３９】
「点呼待ちリスト」領域８７に表示されている点呼待ちリストの各行は、点呼を待っている被点呼者のそれぞれの情報になっており、上の行から順番に点呼が実行されるようになっている。点呼待ちリストの各列は、被点呼者の点呼を要求してきた被点呼側装置４０の識別情報を表示する「支部」領域８７ａ、被点呼者の社員番号を表示する「社員番号」領域８７ｂ、被点呼者の氏名を表示する「氏名」領域８７ｃ、被点呼者が乗車する車両の番号を表示する「車両番号」領域８７ｄ、被点呼者の点呼が実行される予定時刻を表示する「予定時刻」領域８７ｅ、被点呼者が点呼待ちリストに登録されてから現在までの経過時間を表示する「経過時間」領域８７ｆ、被点呼者が点呼待ちリストに登録された時刻を表示する「登録時刻」領域８７ｇである。「支部」領域８７ａ、「社員番号」領域８７ｂ、「氏名」領域８７ｃおよび「車両番号」領域８７ｄに表示される情報は、被点呼者の識別情報であり、サーバーである点呼側装置２０のＰＣ２１が被点呼側装置４０から点呼の要求を受信したときに、点呼の要求とともに被点呼側装置４０から送信されてくる情報である。
【００４０】
「予定時刻」領域８７ｅに表示される予定時刻は、被点呼者１人の点呼に必要な時間として予め設定された標準点呼時間と、点呼側装置２０の台数と、点呼待ちリストにおける被点呼者の順番とに基づいてＰＣ２１によって算出されることができる情報であって、リアルタイムに更新される情報である。標準点呼時間と、点呼側装置２０の台数とに基づいて、点呼システム１０全体における被点呼者１人分の予定の待ち時間として標準待ち時間が定まる。例えば、図５に示す例においては、標準待ち時間が８分であり、現在点呼中の被点呼者である田中一郎さんの点呼が２１時１６分に開始されており、点呼待ちリストの１番目の山田二郎さんの点呼の予定時刻が８分後の２１時２４分であり、点呼待ちリストの２番目の佐藤一郎さんの点呼の予定時刻が更に８分後の２１時３２分であり、点呼待ちリストの３番目の鈴木三郎さんの点呼の予定時刻が更に８分後の２１時４０分である。
【００４１】
なお、標準待ち時間は、同時に処理することができる点呼の数に反比例する。そして、同時に処理することができる点呼の数は、点呼を行う点呼管理者の人数、すなわち、点呼側装置２０の台数と等しい。したがって、標準待ち時間は、点呼側装置２０の台数に反比例する。つまり、標準待ち時間は、点呼側装置２０が２台であるときに点呼側装置２０が１台であるときの１／２倍になり、点呼側装置２０が３台であるときに点呼側装置２０が１台であるときの１／３倍になる。
【００４２】
点呼システム１０を導入している運送業者は、点呼待ちリストに被点呼者が多数登録されていて点呼が滞るようであれば、点呼側装置２０と、その点呼側装置２０を使用する点呼管理者とを補充することによって点呼の滞りを解消することができる。
【００４３】
「経過時間」領域８７ｆに表示される経過時間は、「登録時刻」領域８７ｇに表示される登録時刻と、時計３０から取得することができる現在時刻とに基づいて算出されることができる情報であって、リアルタイムに更新される情報である。例えば、図５に示す例においては、現在時刻が２１時２３分であり、点呼待ちリストの１番目の山田二郎さんの経過時間が２１時１３分の登録時刻から１０分であり、点呼待ちリストの２番目の佐藤一郎さんの経過時間が２１時１６分の登録時刻から７分であり、点呼待ちリストの３番目の鈴木三郎さんの経過時間が２１時１８分の登録時刻から５分である。
【００４４】
「登録時刻」領域８７ｇに表示される登録時刻は、被点呼者が点呼待ちリストに登録されたときの時計３０の現在時刻である。
【００４５】
図６は、被点呼側装置４０のモニタ４５に表示されるリスト画面の例を示す図である。
【００４６】
図６に示すように、リスト画面には、点呼画面とは異なり、「現在の被点呼者」領域８１、「点呼管理者」領域８２、「被点呼者」領域８３、「運転免許証」領域８４、「登録顔画像」領域８５および「過去履歴」領域８６が表示されていない。リスト画面は、点呼を待っている被点呼側装置４０のモニタ４５に表示される画面である。
【００４７】
次に、点呼システム１０の動作について説明する。
【００４８】
なお、サーバーである点呼側装置２０のＰＣ２１は、点呼待ちリストを更新する度にクライアントである点呼側装置２０と、全ての被点呼側装置４０とに点呼待ちリストを配信する。したがって、全ての点呼側装置２０のモニタ２５と、全ての被点呼側装置４０のモニタ４５とには、常に同一の点呼待ちリストが表示される。
【００４９】
＜被点呼側装置４０における点呼の要求＞
点呼の要求が行われるときの被点呼側装置４０の動作について説明する。
【００５０】
図７は、点呼の要求が行われるときの被点呼側装置４０の動作のフローチャートである。
【００５１】
被点呼者が被点呼側装置４０の免許証リーダー５０に免許証を挿入すると、被点呼側装置４０のＰＣ４１は、図７に示す動作を実行する。なお、ＰＣ４１は、図７に示す動作の実行中に、被点呼者がすべき行動を順にモニタ４５に案内表示する。したがって、被点呼者は、モニタ４５の表示に従って、行動すれば良い。
【００５２】
図７に示すように、ＰＣ４１は、免許証リーダー５０によって免許証から情報を読み取り（Ｓ１０１）、Ｓ１０１において読み取った情報のうち免許証の有効期限に基づいて免許証が有効期限内であるか否かを判断する（Ｓ１０２）。
【００５３】
ＰＣ４１は、免許証が有効期限内ではないとＳ１０２において判断すると、点呼が失敗した旨のエラー表示をモニタ４５に行って（Ｓ１０３）、図７に示す処理を終了する。一方、ＰＣ４１は、免許証が有効期限内であるとＳ１０２において判断すると、被点呼者が携帯しているＩＣタグ６０からＩＣタグリーダライター５１によって情報を読み取る（Ｓ１０４）。
【００５４】
次いで、ＰＣ４１は、被点呼者の血圧を血圧計５３によって計測し（Ｓ１０５）、被点呼者の加速度脈波を加速度脈波計５４によって計測する（Ｓ１０６）。なお、血圧計５３によって計測された値および加速度脈波計５４によって計測された値は、ＰＣ４１によってモニタ４５に表示される。
【００５５】
次いで、ＰＣ４１は、被点呼者の指紋を指紋認証装置５２によって読み取り（Ｓ１０７）、Ｓ１０７において読み取った指紋に基づいて指紋認証装置５２による認証が成功したか否かを判断する（Ｓ１０８）。
【００５６】
ＰＣ４１は、指紋認証装置５２による認証が失敗したとＳ１０８において判断すると、点呼が失敗した旨のエラー表示をモニタ４５に行って（Ｓ１０３）、図７に示す処理を終了する。一方、ＰＣ４１は、指紋認証装置５２による認証が成功したとＳ１０８において判断すると、被点呼者の体温を体温計５５によって計測し（Ｓ１０９）、Ｓ１０９において計測した体温が正常であるか否かを判断する（Ｓ１１０）。ここで、ＰＣ４１は、正常であると判断する体温の範囲が予め設定されており、Ｓ１０９において計測した体温が予め設定されている範囲内にあるときに正常であると判断する。なお、体温計５５によって計測された値は、ＰＣ４１によってモニタ４５に表示される。
【００５７】
ＰＣ４１は、計測した体温が異常であるとＳ１１０において判断すると、点呼が失敗した旨のエラー表示をモニタ４５に行って（Ｓ１０３）、図７に示す処理を終了する。一方、ＰＣ４１は、計測した体温が正常であるとＳ１１０において判断すると、質問事項に対する被点呼者による回答を受け付ける（Ｓ１１１）。
【００５８】
図８は、モニタ４５に表示される質問事項の例を示す図である。
【００５９】
Ｓ１１１における質問事項とは、健康状態に対する質問事項など、点呼に役立つ質問事項であり、例えば図８に示すようなものである。質問事項には、図８に示す質問事項以外にも、被点呼者が感じているストレスの度合いや、麻薬や覚醒剤などを使用していないかなど、様々な質問事項が有り得る。
【００６０】
質問事項は、モニタ４５に表示されて、マウスや、モニタ４５上に配置されたタッチパネルなど、操作部４６を介して被点呼者によって回答される。
【００６１】
図７に示すように、ＰＣ４１は、Ｓ１１１の後、アルコール測定器５６によって被点呼者の呼気中のアルコール濃度を測定し（Ｓ１１２）、Ｓ１１２において測定したアルコール濃度に基づいて被点呼者が飲酒状態であるか否かを判断する（Ｓ１１３）。ここで、ＰＣ４１は、飲酒状態であると判断する閾値が予め設定されており、Ｓ１１２において測定したアルコール濃度が予め設定されている閾値以上であるときに飲酒状態であると判断する。なお、アルコール測定器５６によって測定された値は、ＰＣ４１によってモニタ４５に表示される。
【００６２】
ＰＣ４１は、被点呼者が飲酒状態であるとＳ１１３において判断すると、Ｓ１０１やＳ１０４において免許証やＩＣタグ６０から読み取った氏名などの被点呼者のＩＤ情報と、飲酒状態であったこととを通信部４７を介してサーバーである点呼側装置２０に通知し（Ｓ１１４）、点呼が失敗した旨のエラー表示をモニタ４５に行って（Ｓ１０３）、図７に示す処理を終了する。
【００６３】
なお、サーバーである点呼側装置２０のＰＣ２１は、飲酒状態であったことを被点呼側装置４０から受信すると、ＰＣ４１によって飲酒状態であったと判断された被点呼者のＩＤ情報とともに、被点呼者が飲酒状態であったことを、図示していない所定の装置に緊急通知として送信する。この所定の装置は、運送業者の経営者や管理職の携帯通信端末やＰＣなどであり、サーバーである点呼側装置２０から電話や電子メールなどで緊急通知を受信する。なお、この緊急通知は、サーバーである点呼側装置２０を介さずに、被点呼側装置４０から直接送信するようになっていても良い。
【００６４】
ＰＣ４１は、被点呼者が飲酒状態ではないとＳ１１３において判断すると、点呼の要求を通信部４７を介してサーバーである点呼側装置２０に送信し（Ｓ１１５）、図７に示す処理を終了する。ここで、ＰＣ４１は、点呼の要求を送信するとき、Ｓ１０１において読み取った免許証の画像、被点呼側装置４０自身の識別情報、Ｓ１０１において免許証から読み取った氏名、Ｓ１０４においてＩＣタグ６０から読み取ったトラックの車両番号、Ｓ１０５において計測した血圧、Ｓ１０６において計測した加速度脈波、Ｓ１０９において計測した体温、Ｓ１１１において受け付けた回答、Ｓ１１２において測定したアルコール濃度などの各種の情報を、点呼の要求とともにサーバーである点呼側装置２０に通知する。
【００６５】
＜サーバーである点呼側装置２０における点呼待ちリストへの登録＞
点呼待ちリストに被点呼者が登録されるときのサーバーである点呼側装置２０の動作について説明する。
【００６６】
サーバーである点呼側装置２０は、図５に示す点呼画面をモニタ２５に表示している。
【００６７】
図９は、点呼待ちリストに被点呼者が登録されるときのサーバーである点呼側装置２０の動作のフローチャートである。
【００６８】
サーバーである点呼側装置２０のＰＣ２１は、点呼の要求を被点呼側装置４０から受信すると、図９に示す処理を開始する。
【００６９】
図９に示すように、ＰＣ２１は、警報器２８および呼出灯２９を駆動する（Ｓ１３１）。つまり、ＰＣ２１は、警報器２８による音の出力と、呼出灯２９による発光とによって、点呼の要求の受信を点呼管理者に知らせる。
【００７０】
次いで、ＰＣ２１は、受信した点呼の要求を行った被点呼者を点呼待ちリストの最後に追加して（Ｓ１３２）、図９に示す処理を終了する。
【００７１】
Ｓ１３２の処理の結果、全ての点呼側装置２０のモニタ２５と、全ての被点呼側装置４０のモニタ４５とには、被点呼者が更新された同一の点呼待ちリストが表示される。
【００７２】
＜点呼側装置２０における点呼の実行＞
点呼が実行されるときの点呼側装置２０の動作について説明する。
【００７３】
点呼が開始されていないとき、点呼側装置２０のモニタ２５上の点呼画面（図５参照。）には、「現在の被点呼者」領域８１、「被点呼者」領域８３、「運転免許証」領域８４、「登録顔画像」領域８５および「過去履歴」領域８６に何も表示されていない。
【００７４】
図１０は、点呼が実行されるときの点呼側装置２０の動作のフローチャートである。
【００７５】
点呼管理者が点呼側装置２０の操作部２６から例えば点呼開始釦を押下するなどして点呼の開始を点呼側装置２０に指示すると、点呼側装置２０のＰＣ２１は、図１０に示す処理を開始する。
【００７６】
図１０に示すように、ＰＣ２１は、点呼待ちリストにおける最初の被点呼者を対象にする（Ｓ１６１）。このとき、ＰＣ２１は、点呼待ちリストにおける最初の被点呼者を点呼待ちリストから削除するとともに、その被点呼者をモニタ２５上の点呼画面において「点呼待ちリスト」領域８７から「現在の被点呼者」領域８１に移動させる。つまり、「点呼待ちリスト」領域８７に表示されている点呼待ちリストの各行は、最初の被点呼者が「現在の被点呼者」領域８１に移動した分、１行ずつ繰り上がる。また、モニタ２５上の「運転免許証」領域８４には、被点呼側装置４０からサーバーである点呼側装置２０に対象の被点呼者の点呼の要求とともに送信されてきた画像が表示される。また、「登録顔画像」領域８５、「過去履歴」領域８６には、対象の被点呼者についてサーバーである点呼側装置２０のＰＣ２１に予め登録されている顔画像、過去の履歴がそれぞれ表示される。
【００７７】
Ｓ１６１の処理の結果、全ての点呼側装置２０のモニタ２５と、全ての被点呼側装置４０のモニタ４５とには、被点呼者が更新された同一の点呼待ちリストが表示される。
【００７８】
次いで、ＰＣ２１は、ネットワーク１１を介して対象の被点呼側装置４０に指示を送信することによって、対象の被点呼側装置４０の警報器４８および呼出灯４９の駆動を開始させる（Ｓ１６２）。ここで、対象の被点呼側装置４０とは、点呼側装置２０と通信可能な全ての被点呼側装置４０のうち、Ｓ１６１において対象にした被点呼者の被点呼側装置４０のことである。対象の被点呼側装置４０のＰＣ４１は、点呼側装置２０からの指示に応じて、警報器４８による音の出力と、呼出灯４９による発光とを開始する。更に、ＰＣ２１は、対象の被点呼側装置４０のモニタ４５上に表示されている画像の点滅を開始させても良い。
【００７９】
次いで、ＰＣ２１は、モニタ２５上の点呼画面において「現在の被点呼者」領域８１に表示されている被点呼者の情報の点滅表示を開始する（Ｓ１６３）。
【００８０】
次いで、ＰＣ２１は、ネットワーク１１を介して対象の被点呼側装置４０に指示を送信することによって、対象の被点呼側装置４０のモニタ４５に点呼画面を表示させる（Ｓ１６４）。つまり、点呼側装置２０のモニタ２５と、対象の被点呼側装置４０のモニタ４５とは、同期しながら同一の画像を表示することになる。
【００８１】
次いで、ＰＣ２１は、対象の被点呼側装置４０から応答があるまで、対象の被点呼側装置４０から応答があったか否かを判断する（Ｓ１６５）。対象の被点呼者は、被点呼側装置４０の警報器４８による音の出力と、呼出灯４９による発光と、モニタ４５の表示とによって自身が点呼の対象となっていることを知ることができ、点呼を受ける準備が整い次第、対象の被点呼側装置４０の操作部４６から点呼側装置２０に応答を送信することができる。
【００８２】
ＰＣ２１は、対象の被点呼側装置４０から応答があったとＳ１６５において判断すると、モニタ２５上の点呼画面において「現在の被点呼者」領域８１に表示されている被点呼者の情報の点滅表示を終了する（Ｓ１６６）。
【００８３】
次いで、ＰＣ２１は、ネットワーク１１を介して対象の被点呼側装置４０に指示を送信することによって、対象の被点呼側装置４０の警報器４８および呼出灯４９の駆動を終了させる（Ｓ１６７）。対象の被点呼側装置４０のＰＣ４１は、点呼側装置２０からの指示に応じて、警報器４８による音の出力と、呼出灯４９による発光とを終了する。なお、ＰＣ２１は、対象の被点呼側装置４０のモニタ４５上に表示されている画像の点滅をＳ１６２において開始させている場合には、その点滅も終了させる。
【００８４】
次いで、ＰＣ２１は、ネットワーク１１を介して対象の被点呼側装置４０と通信を行うことによって点呼管理者による被点呼者の点呼を可能にする（Ｓ１６８）。具体的には、対象の被点呼側装置４０のマイク４２から入力された音は、ネットワーク１１を介して点呼側装置２０のスピーカ２４から出力される。また、点呼側装置２０のマイク２２から入力された音は、ネットワーク１１を介して対象の被点呼側装置４０のスピーカ４４から出力される。また、対象の被点呼側装置４０のビデオカメラ４３によって撮影された画像は、対象の被点呼側装置４０のモニタ４５上の「被点呼者」領域８３に表示されるとともに、ネットワーク１１を介して点呼側装置２０のモニタ２５上の「被点呼者」領域８３にも表示される。また、点呼側装置２０のビデオカメラ２３によって撮影された画像は、点呼側装置２０のモニタ２５上の「点呼管理者」領域８２に表示されるとともに、ネットワーク１１を介して対象の被点呼側装置４０のモニタ４５上の「点呼管理者」領域８２にも表示される。このように、点呼管理者は、被点呼者の様子を確認し被点呼者と対話しながら点呼を進めることができるので、被点呼者の話し方、声、顔色、目付きなどから被点呼者の体調などを感じつつ点呼を進めることができる。
【００８５】
次いで、ＰＣ２１は、点呼が完了したと判断するまで、点呼が完了したか否かを判断する（Ｓ１６９）。点呼管理者は、点呼側装置２０の操作部２６から乗務許可釦または乗務禁止釦を押下して点呼の完了を点呼側装置２０に指示することができる。ここで、乗務許可釦は、点呼管理者が被点呼者による乗務を許可するための釦である。乗務禁止釦は、点呼管理者が被点呼者による乗務を禁止するための釦である。
【００８６】
ＰＣ２１は、点呼が完了したとＳ１６９において判断すると、乗務の許可および乗務の禁止の何れか一方を点呼の結果としてネットワーク１１を介して対象の被点呼側装置４０に送信する（Ｓ１７０）。ここで、乗務の許可は、乗務許可釦が押下されたときに送信される点呼の結果であり、乗務の禁止は、乗務禁止釦が押下されたときに送信される点呼の結果である。また、乗務の許可は、通過許可判断装置７０にＩＣタグ６０の通過を許可させるための情報の書き込みの指示でもある。
【００８７】
次いで、ＰＣ２１は、ネットワーク１１を介して対象の被点呼側装置４０に指示を送信することによって、対象の被点呼側装置４０のモニタ４５にリスト画面を表示させる（Ｓ１７１）。
【００８８】
次いで、ＰＣ２１は、点呼待ちリストに未だ被点呼者の登録があるか否かを判断する（Ｓ１７２）。
【００８９】
ＰＣ２１は、点呼待ちリストに未だ被点呼者の登録があるとＳ１７２において判断すると、再びＳ１６１の処理に戻る。つまり、ＰＣ２１は、点呼待ちリストにおける被点呼者の順番に従って被点呼側装置４０を介した点呼を可能にする。
【００９０】
ＰＣ２１は、点呼待ちリストに被点呼者の登録がないとＳ１７２において判断すると、図１０に示す処理を終了する。
【００９１】
＜被点呼側装置４０における有効期限の書き込み＞
ＩＣタグ６０に有効期限が書き込まれるときの被点呼側装置４０の動作について説明する。
【００９２】
図１１は、ＩＣタグ６０に有効期限が書き込まれるときの被点呼側装置４０の動作のフローチャートである。
【００９３】
被点呼側装置４０のＰＣ４１は、点呼側装置２０から点呼の結果が送信されてくると、図１１に示す処理を実行する。
【００９４】
図１１に示すように、ＰＣ４１は、点呼側装置２０から送信されてきた点呼の結果を通信部４７によって受信する（Ｓ１８１）。このように、ＰＣ４１は、通過許可判断装置７０にＩＣタグ６０の通過を許可させるための情報の書き込みの指示として、乗務の許可の指示を受信するようになっている。
【００９５】
次いで、ＰＣ４１は、Ｓ１８１において受信した点呼の結果が乗務の許可であるか否かを判断する（Ｓ１８２）。
【００９６】
ＰＣ４１は、点呼の結果が乗務の許可であるとＳ１８２において判断すると、ＩＣタグリーダライター５１によってＩＣタグ６０に有効期限を書き込んで（Ｓ１８３）、図１１に示す処理を終了する。ここで、有効期限は、点呼の完了時刻から１０分であり、例えば１０時１５分が点呼の完了時刻であれば１０時２５分である。有効期限は、点呼側装置２０のＰＣ２１において算出されて点呼側装置２０から送信されてくるようになっていても良いし、ＰＣ４１において算出するようになっていても良い。このように、ＰＣ４１は、点呼側装置２０から乗務の許可の指示を受信したときに、通過許可判断装置７０にＩＣタグ６０の通過を許可させるための情報として有効期限をＩＣタグ６０に書き込むようになっている。なお、１０分というのは、例であり、これに限られるものではない。
【００９７】
一方、ＰＣ４１は、点呼の結果が乗務の禁止であるとＳ１８２において判断すると、Ｓ１８３の処理を実行せずに、図１１に示す処理を終了する。
【００９８】
＜通過許可判断装置７０における乗務の許可または禁止＞
被点呼者の乗務の許可または禁止が行われるときの通過許可判断装置７０の動作について説明する。
【００９９】
図１２は、被点呼者の乗務の許可または禁止が行われるときの通過許可判断装置７０の動作のフローチャートである。
【０１００】
被点呼者であるトラック９０の運転者は、トラック９０を運転するため、トラック９０のキー９１を携帯してＩＣタグリーダー付きゲート７１を通過する。ここで、キー９１には、キーホルダー９２を介してＩＣタグ６０が取り付けられているので、運転者がキー９１を携帯してＩＣタグリーダー付きゲート７１を通過すると、ＩＣタグ６０は、ＩＣタグリーダー付きゲート７１に検出される。通過許可判断装置７０のＰＣ４１は、ＩＣタグリーダー付きゲート７１がＩＣタグ６０を検出すると、図１２に示す処理を実行する。
【０１０１】
図１２に示すように、ＰＣ４１は、ＩＣタグリーダー付きゲート７１によってＩＣタグ６０から有効期限を読み出す（Ｓ１９１）。
【０１０２】
次いで、ＰＣ４１は、Ｓ１９１において読み出した有効期限に基づいて、ＩＣタグ６０が有効期限内であるか否かを判断する（Ｓ１９２）。つまり、ＰＣ４１は、Ｓ１９１において読み出した有効期限を現在時刻が経過していなければＩＣタグ６０が有効期限内であると判断し、Ｓ１９１において読み出した有効期限を現在時刻が経過していればＩＣタグ６０が有効期限内ではないと判断する。例えば、被点呼者である運転者が点呼を受けていなかったり、点呼を受けていても点呼管理者から乗務の許可が出されなかったりすると、ＩＣタグ６０の有効期限がＳ１８３において適切に書き込まれず古い有効期限のままであるので、ＰＣ４１は、ＩＣタグ６０が有効期限内ではないと判断する。
【０１０３】
ＰＣ４１は、ＩＣタグ６０が有効期限内であるとＳ１９２において判断すると、ＰＣ４１に記憶されている出発者リストに運転者を登録して（Ｓ１９３）、図１２に示す処理を終了する。したがって、運転者は、ＩＣタグリーダー付きゲート７１を通過してトラック９０まで到達した後、キー９１を用いてトラック９０に乗務することができる。
【０１０４】
一方、ＰＣ４１は、ＩＣタグ６０が有効期限内ではないとＳ１９２において判断すると、警報器４８および呼出灯４９を駆動する（Ｓ１９４）。つまり、ＰＣ４１は、運転者によるＩＣタグリーダー付きゲート７１の不正な通過を周囲の人々に知らせる。
【０１０５】
次いで、ＰＣ４１は、ＩＣタグ６０が有効期限内ではないことをネットワーク１１を介して点呼側装置２０に通知し（Ｓ１９５）、図１２に示す処理を終了する。ここで、点呼側装置２０のＰＣ２１は、この通知を受けて警報器２８および呼出灯２９を駆動することによって、運転者によるＩＣタグリーダー付きゲート７１の不正な通過を点呼管理者に知らせる。
【０１０６】
なお、以上においては、点呼側装置２０、被点呼側装置４０および通過許可判断装置７０のコンピュータがＰＣによって構成されている例について説明したが、点呼側装置２０、被点呼側装置４０および通過許可判断装置７０のうち少なくとも１つのコンピュータがＰＣ以外のコンピュータによって構成されていても良い。
【０１０７】
以上に説明したように、点呼システム１０は、被点呼側装置４０が点呼側装置２０から乗務の許可の指示を受信したときのみ、被点呼者によって携帯されるＩＣタグ６０の通過を通過許可判断装置７０が許可するので、被点呼者に点呼を適切に受けさせることができる。
【０１０８】
また、点呼システム１０は、ＩＣタグ６０が有効期限内であるときのみ、被点呼者によって携帯されるＩＣタグ６０の通過を通過許可判断装置７０が許可するので、被点呼者に点呼を更に適切に受けさせることができる。
【０１０９】
なお、通過許可判断装置７０にＩＣタグ６０の通過を許可させるための情報は、本実施の形態において有効期限という時刻であるが、有効期限ではなく単に許可を示す情報であっても良い。
【０１１０】
また、点呼システム１０は、ＩＣタグ６０がトラック９０のキー９１に取り付けられており、通過許可判断装置７０が被点呼側装置４０からトラック９０までの通路の途中に配置されているので、点呼を適切に受けた被点呼者のみにトラック９０のキー９１をトラック９０まで持って行かせることができる。したがって、点呼システム１０は、トラック９０の運転者である被点呼者に点呼を適切に受けさせることができる。
【０１１１】
なお、ＩＣタグ６０は、本実施の形態においてトラック９０のキー９１に取り付けられているが、被点呼者に携帯されるものであれば、キーに取り付けられていなくても良い。
【０１１２】
また、点呼システム１０は、本実施の形態において全ての点呼側装置２０が点呼管理者によって直接使用されているが、サーバーである点呼側装置２０が点呼待ちリストの管理のみを担当し、クライアントである点呼側装置２０のみが点呼管理者によって直接使用されるようになっていても良い。その場合、標準待ち時間は、クライアントである点呼側装置２０の台数に反比例することになる。
【０１１３】
また、点呼システム１０は、本実施の形態において点呼側装置２０を複数台備えているが、点呼側装置２０を１台しか備えていなくても良い。
【０１１４】
また、点呼システム１０は、本実施の形態において被点呼側装置４０および通過許可判断装置７０がＰＣ４１を共用しているが、被点呼側装置４０および通過許可判断装置７０が別々のコンピュータを備えていて互いに独立していても良い。
【０１１５】
また、本発明の携帯装置は、本実施の形態においてＩＣタグであるが、被点呼側装置によって情報が書き込まれ、通過許可判断装置によって情報が読み出されることができる装置であれば、磁気カードなど、ＩＣタグ以外の構成であっても良い。
【０１１６】
また、点呼システム１０は、本実施の形態において運送業者によって導入されているが、導入者を運送業者に限るものではない。
【符号の説明】
【０１１７】
１０  点呼システム
２０  点呼側装置
４０  被点呼側装置
６０  ＩＣタグ（携帯装置）
７０  通過許可判断装置
【図１】
2011238059.tif 000003
【図２】
2011238059.tif 000004
【図３】
2011238059.tif 000005
【図４】
2011238059.tif 000006
【図５】
2011238059.tif 000007
【図６】
2011238059.tif 000008
【図７】
2011238059.tif 000009
【図８】
2011238059.tif 000010
【図９】
2011238059.tif 000011
【図１０】
2011238059.tif 000012
【図１１】
2011238059.tif 000013
【図１２】
2011238059.tif 000014
【手続補正書】
【提出日】平成22年10月25日(2010.10.25)
【手続補正１】
【補正対象書類名】明細書
【補正対象項目名】０００８
【補正方法】変更
【補正の内容】
【０００８】
本発明の点呼システムは、点呼を行う点呼管理者によって使用される点呼側装置と、前記点呼が行われる被点呼者によって使用されて前記被点呼者の様子を音および画像の少なくとも一方で前記点呼側装置に送信する被点呼側装置と、前記被点呼者によって携帯される携帯装置と、前記携帯装置の通過を許可するか否かを判断する通過許可判断装置とを備えており、前記点呼側装置は、前記被点呼側装置から受信した前記点呼の要求に応じて前記被点呼側装置を介した前記点呼を可能にする点呼システムであって、前記点呼側装置は、前記通過許可判断装置に前記携帯装置の通過を許可させるための情報の書き込みの指示を前記被点呼側装置に送信し、前記被点呼側装置は、前記点呼側装置から前記指示を受信したときに前記情報を前記携帯装置に書き込み、前記通過許可判断装置は、前記携帯装置に書き込まれた前記情報に基づいて前記携帯装置の通過を許可し、前記情報は、時刻であり、前記通過許可判断装置は、前記携帯装置に書き込まれた前記時刻に基づいて前記携帯装置が有効期限内であるか否かを判断し、前記携帯装置が有効期限内であるときに前記携帯装置の通過を許可することを特徴とする。
【手続補正２】
【補正対象書類名】明細書
【補正対象項目名】０００９
【補正方法】変更
【補正の内容】
【０００９】
この構成により、本発明の点呼システムは、被点呼側装置が点呼側装置から指示を受信したときであって、携帯装置が有効期限内であるときのみ、被点呼者によって携帯される携帯装置の通過を通過許可判断装置が許可するので、被点呼者に点呼を適切に受けさせることができる。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】特許請求の範囲
【補正対象項目名】全文
【補正方法】変更
【補正の内容】
【特許請求の範囲】
【請求項１】
点呼を行う点呼管理者によって使用される点呼側装置と、前記点呼が行われる被点呼者によって使用されて前記被点呼者の様子を音および画像の少なくとも一方で前記点呼側装置に送信する被点呼側装置と、前記被点呼者によって携帯される携帯装置と、前記携帯装置の通過を許可するか否かを判断する通過許可判断装置とを備えており、
前記点呼側装置は、前記被点呼側装置から受信した前記点呼の要求に応じて前記被点呼側装置を介した前記点呼を可能にする点呼システムであって、
前記点呼側装置は、前記通過許可判断装置に前記携帯装置の通過を許可させるための情報の書き込みの指示を前記被点呼側装置に送信し、
前記被点呼側装置は、前記点呼側装置から前記指示を受信したときに前記情報を前記携帯装置に書き込み、
前記通過許可判断装置は、前記携帯装置に書き込まれた前記情報に基づいて前記携帯装置の通過を許可し、
前記情報は、時刻であり、
前記通過許可判断装置は、前記携帯装置に書き込まれた前記時刻に基づいて前記携帯装置が有効期限内であるか否かを判断し、前記携帯装置が有効期限内であるときに前記携帯装置の通過を許可することを特徴とする点呼システム。
【請求項２】
前記携帯装置は、車両のキーに取り付けられており、
前記通過許可判断装置は、前記被点呼側装置から前記車両までの通路の途中に配置されていることを特徴とする請求項１に記載の点呼システム。